(57)【要約】      （修正有）【課題】容器から水性液体を注ぎ出す際の液垂れならびにキャップを閉めた保存状態における液漏れおよび臭気漏れを同時に解決する容器用口構造を提供する。【解決手段】容器に収容された水性液体を注ぎ出すためのノズル部１１の先端部１１０を、平面状の天面と、前記天面から滑らかに連続し、口構造１の内部に向かって下降する曲面状の内周面と、前記天面から滑らかに連続し、口構造１の外部に向かって下降する曲面状の外周面とから構成する。【選択図】図１
0003145715.tif 000002
【実用新案登録請求の範囲】
【請求項１】
水性液体を収容する容器用の口構造であって、少なくとも、前記水性液体を注ぎ出すためのノズル部と、前記容器の開口部に装着するための嵌合部とを含み、
ここに、前記ノズル部の先端部は、
平坦な天面と、
前記天面から滑らかに連続し、前記ノズルの内部に向かって下降する曲面状の内周面と、
前記天面から滑らかに連続し、前記ノズルの外部に向かって下降する曲面状の外周面と
から構成されることを特徴とする容器用口構造。
【請求項２】
前記ノズル部の先端部が外周方向に張り出した縁鍔状であることを特徴とする請求項１に記載の容器用口構造。
【請求項３】
前記天面が容器に収容された水性液体の液滴が付着しない幅を有することを特徴とする請求項１に記載の容器用口構造。
【請求項４】
前記内周面および前記外周面を構成する曲面が、輪環面の一部であることを特徴とする請求項１に記載の容器用口構造。
【請求項５】
少なくとも前記ノズル部が疎水性樹脂で形成されていることを特徴とする請求項１に記載の容器用口構造。
【考案の詳細な説明】
【技術分野】
【０００１】
本考案は、水性液体を収容する容器用の口構造に関する。本考案の容器用口構造は、水性液体を注ぎ出した後の液垂れを防止し、かつ、キャップを閉めて保存する際に液漏れおよび臭気漏れを防止する機能を有する。
【背景技術】
【０００２】
水性液体を収容する容器から適量の水性液体を注ぎ出すために容器の開口部に口構造を装着する。従来、口構造から水性液体を注ぎ出した後、口構造の先端部に滞留した水性液体が外部に液垂れすることを防止する目的で、先端部の外周に張り出した部分を形成し、口構造の中心軸を含む断面において、張り出した部分の形状を曲面状としている［先行技術文献１および２］。
張り出した部分の形状を曲面状とすることで、キャップを閉めた保存状態において、先端部の一円周がキャップと密着することによって液漏れを防止することができるが、キャップとの接触面積が少ないため、キャップと先端部との間の密着性が低く、臭気性の高い水性液体を容器に収容した場合、臭気が漏れ出し、不快であり好ましくない。
一方、臭気漏れを解消するためには、先端部とキャップとの接触面積を広げる必要があるが、そのため先端部に水性液体が滞留し、不快であると共に不潔になり好ましくない。
【０００３】
【特許文献１】特開２００４−１９６４１７号公報
【特許文献２】実公平６−８０４３号公報
【考案の開示】
【考案が解決しようとする課題】
【０００４】
本考案は、容器から水性液体を注ぎ出す際の液垂れならびにキャップを閉めた保存状態における液漏れおよび臭気漏れを同時に解決する容器用口構造を提供する。
【課題を解決するための手段】
【０００５】
本考案の容器用口構造の先端部は、キャップと口構造の先端部との接触面積を拡大してキャップを閉めた保存状態における液漏れおよび臭気漏れを解決するために、平面状の天面を有し、かつ、容器から水性液体を注ぎ出した後の液垂れを防止するために、前記天面から滑らかに連続し、口構造の内部に向かって下降する曲面状の内周面および、前記天面から滑らかに連続し、口構造の外部に向かって下降する曲面状の外周面を有する。
より詳しくは、本考案の容器用口構造は、水性液体を収容する容器用の口構造であって、少なくとも、前記水性液体を注ぎ出すためのノズル部と、前記容器の開口部に装着するための嵌合部とを含み、ここに、前記ノズル部の先端部は、平坦な天面と、前記天面から滑らかに連続し、前記ノズルの内部に向かって下降する曲面状の内周面と、前記天面から滑らかに連続し、前記ノズルの外部に向かって下降する曲面状の外周面とからなることを特徴とする。
【０００６】
本考案の容器用口構造において、前記ノズル部の先端部が外周方向に張り出した縁鍔状であることを特徴とする。
先端部において、ノズル部の外側に張り出した部分があることで、水性液体がノズル部の天面に残留することなく、縁鍔部にそって滑らかに流落するため、繰り返しの使用においてもノズル部を残留液滴で汚すことなく、水性液体を注ぐことができる。また、医薬品内服製剤など、１回服用量の定量性を必要とされる容器口として使用できる。
【０００７】
本考案の容器用口構造において、前記天面が容器に収容された水性液体の液滴が付着しない幅を有することを特徴とする。
水性液体が付着し得ない天面の幅は０．３〜０．５ｍｍが好ましく、０．３５〜０．４５ｍｍがより好ましい。
【０００８】
本考案の容器用口構造において、前記内周面および前記外周面を構成する曲面が、輪環面の一部であることを特徴とする。
このことにより、いずれの方向から容器を傾けても均一に水性液体を注ぎ出すことができ、液滴が残留することがない。
【０００９】
本考案の容器用口構造において、少なくとも前記ノズル部が疎水性樹脂で形成されていることを特徴とする。
このことにより、水性液体を注ぎ出した後、容器を垂直に戻すときの最後の液滴が内部に戻る液体に引かれて引き戻され、さらにノズル外周部に引き寄せる張力よりも、容器内に戻る液体に生ずる表面張力が勝り、水性液体が液垂れしない。
疎水性樹脂の例としては、ポリエチレン、ポリプロピレン、ポリブチレン、エチレン・プロピレン共重合体などポリオレフィンあるいはα−オレフィン共重合体；シリコーン樹脂、フッ素樹脂（ＰＴＦＥ、ＰＶＤＦなど）及びＥＰＤＭなどのエラストマー；ポリエチレンテフタレート（ＰＥＴ）、ポリブチレンテフタレート（ＰＢＴ）などのポリエステル樹脂；ポリ塩化ビニル、ポリ塩化ビニリデンなどの塩素系樹脂などが挙げられる。
このような樹脂のうち、ポリエチレン樹脂、ポリプロピレン樹脂は廉価であると共に成形が容易であり、かつ良好な疎水性能を有しているので好ましい。
【考案の効果】
【００１０】
本考案によれば、容器用口構造のノズル部先端が平面状の天面ならびに曲面状の内周面および外周面から構成される形状を有するため、容器から水性液体を注ぎ出す際の液垂れならびにキャップを閉めた保存状態における液漏れおよび臭気漏れを同時に解決することができる。
【考案を実施するための最良の形態】
【００１１】
本考案の容器用口構造の詳細を添付する図面を参照して説明する。
本考案の口構造の一具体例をその中心軸を含む平面で切断したときの断面図を図１に示す。
口構造１は、ノズル部１１と、ノズル部１１の下部の外壁から下向きに広がる頸部１２と、頸部１２の下部から外側に張り出した中栓１３と、頸部１２の下部から下側に延設され、容器の開口部に装着するための嵌合部１４を含む。
【００１２】
ノズル部１１は円筒状の部材であり、上側の先端部１１０は容器２に収容した水性液体を注ぎ出すために外部に開口している。ノズル部１１の下側は、容器２に装着したときに、容器内部に開口している。
図２に示すように、ノズル部１１の上側の先端部１１０は、ノズル部１１の内壁から滑らかに連続的に形成された曲面状の内周面１１１と、内周面１１１から滑らかに連続的に形成された平面状の天面１１２と、天面１１２から滑らかに連続的に形成された曲面状の外周面１１３とから構成されている。
添付する図面において、ノズル部１１の上側の先端部１１０は外周方向に張り出した縁鍔状に描写されているが、外周面１１３がノズル部１１の外壁から滑らかに連続的に形成されていてもよい。
【００１３】
内周面１１１および外周面１１３は、先端部１１０から水性液体を注ぎだした後、口構造１を直立させたときに、液滴が滞留せず、ノズル部の内部または外部に落下する形状であることが必要である。
天面１１２は、先端部１１０から水性液体を注ぎ出した後、図３に示すように口構造１を装着した容器２を直立させたときに、液滴が滞留しない幅を有することが必要である。天面１１２の幅は、図４に示すように、キャップ３を容器２に取り付けたとき、キャップ３の蓋部３１と接触して、保存状態において容器２に収容された水性液体の液漏れおよび臭気の漏れを防止するのに十分であることが必要である。
図５に、天面１１２の幅が液漏れおよび臭気の漏れを防止するのに十分であることを示すために、キャップ３の蓋部３１の形状と先端部１１０の形状とを重ねて描写する拡大図を示した。実際には、キャップ３を容器２に取り付けたとき、蓋部３１および先端部１１０は圧縮により変形し密着する。
天面１１２の幅は０．３〜０．５ｍｍが好ましく、０．３５〜０．４５ｍｍがより好ましい。
【００１４】
口構造１の中心軸１５を含む平面で切断したときの断面において、天面１２の断面形状は直線であり、内周面１１１および外周面１１３の断面形状は天面１１２からノズル部１１の内部または外部に向かって下降する曲線である。特に、内周面１１１および外周面１１３を構成する曲線は円弧の一部であることが好ましい。
内周面１１１を構成する円弧の半径は０．４〜０．６ｍｍが好ましく、０．４５〜０．５５ｍｍがより好ましい。また、内周面１１３を構成する円弧の半径は０．８〜１．２ｍｍが好ましく、０．９〜１．１ｍｍがより好ましい。
【００１５】
頸部１２は、ノズル部１１の径と嵌合部１４の径とに差がある場合にノズル部１１と嵌合部１４とを連絡する部材である。ノズル部１１の径と嵌合部１４の径との差が小さい場合には、ノズル部１１と嵌合部１４とを直接連絡してもよい。
【００１６】
中栓１３は、口構造１を容器２の開口部に装着したときに、装着部分を覆い容器内部への汚物の侵入を防止するための部材である。
【００１７】
嵌合部１４は、容器２の開口部に口構造１を装着するための部材である。口構造１が液密に容器２に装着される形状であればよい。
【図面の簡単な説明】
【００１８】
【図１】本考案による容器用口構造の断面図
【図２】本考案による容器用口構造の縁鍔部の拡大断面図
【図３】本考案による容器用口構造を容器に取り付けた状態を示す概略図およびキャップの概略図
【図４】容器に取り付けられた本考案による容器用口構造にキャップを被せた状態を示す断面図
【図５】本考案による容器用口構造の先端部およびキャップの蓋部の形状を重ねて描写する拡大断面図
【符号の説明】
【００１９】
１・・・口構造
１１・・ノズル部
１１０・先端部
１１１・内周面
１１２・天面
１１３・外周面
１２・・頸部
１３・・中栓
１４・・嵌合部
１５・・中心軸
２・・・容器
３・・・キャップ
３１・・蓋部
【図１】
0003145715.tif 000003
【図２】
0003145715.tif 000004
【図３】
0003145715.tif 000005
【図４】
0003145715.tif 000006
【図５】
0003145715.tif 000007